(57)【要約】      （修正有） 【課題】動物と相互コミュニケーションができる、物体を投げ出す動物用インタラクティブ装置を提供する。【解決手段】凹部１１０と開口１２０を含む本体１００、前記本体上に設置された回路モジュール３００、前記本体上に設置され、前記回路モジュールと電気的接続された映像音声トランシーバ２００、前記本体上に設置され、前記回路モジュールと電気的接続された駆動モジュール、前記凹部内に移動可能に設置され、前記駆動モジュールに接続された第１のプッシャ７００、および前記凹部と前記開口に接続された第１の連通部材５００を含む。前記駆動モジュールが前記第１のプッシャを駆動し、第１の方向に沿って移動させて前記凹部の内壁から突出したとき、前記第１のプッシャは、前記凹部内に設置された物体を押し出して前記第１の連通部材に入れ、前記開口より前記本体を離れる。【選択図】図３
0003205074.tif 000002
【実用新案登録請求の範囲】
【請求項１】
凹部と開口を含む本体、
前記本体に設置された制御機能を有する回路モジュール、
前記本体に設置され、前記回路モジュールと電気的接続された映像音声トランシーバ、
前記本体に設置され、前記回路モジュールと電気的接続された駆動モジュール、
前記凹部内に移動可能に設置され、前記駆動モジュールに接続された第１のプッシャ、および
前記凹部と前記開口に接続された第１の連通部材含む動物用インタラクティブ装置であって、
前記駆動モジュールが前記第１のプッシャを駆動し、前記第１のプッシャを第１の方向に沿って移動させて前記凹部の内壁から突出したとき、前記第１のプッシャは、前記凹部内に収容された物体を押し出して前記第１の連通部材に入れ、前記開口より前記本体を放出する
動物用インタラクティブ装置。
【請求項２】
前記動物用インタラクティブ装置は、
前記第１の連通部材と前記開口に接続する第２の連通部材、
前記第２の連通部材内に移動可能に設置されて、前記駆動モジュールに接続され、前記物体を前記開口より前記本体から押し出すように用いられる第２のプッシャ、および
前記本体と前記第２のプッシャに接続される弾性部材を更に含む
請求項１に記載の動物用インタラクティブ装置。
【請求項３】
前記動物用インタラクティブ装置は、前記第１の連通部材と前記第２の連通部材との間に形成された第１の連通口を更に含み、且つ、前記第１の連通口は、前記第２のプッシャに遮蔽されない
請求項２に記載の動物用インタラクティブ装置。
【請求項４】
前記駆動モジュールは、
モーター、
前記モーターに接続されたギアアセンブリ、および
ギアアセンブリに接続された、外周に沿って歯車が部分的に設けられた間欠ギアを含み、
前記第１のプッシャおよび前記第２のプッシャは、それぞれギアラックを含み、
前記モーターが前記ギアアセンブリを駆動し、前記間欠ギアが回転したとき、前記間欠ギアの歯車は、前記第１のプッシャと前記第２のプッシャと間欠的に繰り返し噛み合う
請求項２に記載の動物用インタラクティブ装置。
【請求項５】
前記回路モジュールは、前記駆動モジュールの負荷を検出する検出ユニットを含み、前記検出ユニットが前記駆動モジュールが低負荷状態にあると検出したとき、前記回路モジュールは、前記駆動モジュールを介して、前記ギアアセンブリの駆動を停止する
請求項４に記載の動物用インタラクティブ装置。
【請求項６】
前記回路モジュールは、前記駆動モジュールの負荷を検出する検出ユニットを含み、前記検出ユニットが前記駆動モジュールが高負荷状態にあると検出したとき、前記回路モジュールは前記駆動モジュールを介して、前記第１のプッシャを駆動し、前記第２の方向に移動させ、その中の前記第２の方向は、前記第１の方向と反対である
請求項１に記載の動物用インタラクティブ装置。
【請求項７】
前記動物用インタラクティブ装置は、前記凹部内に設置されて前記駆動モジュールに接続され、且つ前記本体に対して回転することができる撹拌板を更に含む
請求項１に記載の動物用インタラクティブ装置。
【請求項８】
前記凹部の表面には、長手方向誘導スロットが配設され、且つ前記駆動モジュールは、前記回路モジュールは前記第１のプッシャを介して、前記誘導スロットに沿って移動させて前記凹部の内壁から突出させる
請求項１に記載の動物用インタラクティブ装置。
【請求項９】
前記動物用インタラクティブ装置は、シーラー（封止部材）を更に含み、且つ、前記凹部と前記第１の通路との間に第２の連通口を形成し、前記シーラーは、前記駆動モジュールと枢接し、前記第２の連通口を封止する
請求項１に記載の動物用インタラクティブ装置。
【請求項１０】
前記映像音声トランシーバは、カメラ、マイク、発光ダイオード、またはスピーカーを含む
請求項１に記載の動物用インタラクティブ装置。
【考案の詳細な説明】
【技術分野】
【０００１】
本考案は、動物用インタラクティブ装置に関し、特に、物体を投げ出す動物用インタラクティブ装置に関するものである。
【背景技術】
【０００２】
多くの人が自宅でペットを飼っているが、飼い主が犬、猫などのペットを自宅に単独に残してきたとき、ペットの行動や身体状況を知ることが難しいため、ある飼い主は家の中に撮影機材を設置し、ペットの行動状態を観察している。
【０００３】
しかしながら、一般の撮影機材は実際にペットとの相互コミュニケーションができず、ペットを撮影機材の傍に引き付けることができない。また、ペットは、運動不足により、長期的には体が弱まってくる。従って、飼い主がペットの傍にいなくてもペットとの相互コミュニケーションができることが重要な課題の一つである。
【考案の概要】
【０００４】
上述の従来の問題点を解決するために、本考案は、本体、回路モジュール、映像音声トランシーバ、駆動モジュール、第１のプッシャ、および第１の連通部材を含む動物用インタラクティブ装置を提供する。その中の回路モジュール、映像音声トランシーバ、および駆動モジュールは、本体に設置され、且つ映像音声トランシーバと回路モジュールは、電気的接続される。本体は、凹部と開口を含む。第１のプッシャは、凹部内に移動可能に設置され、駆動モジュールに接続される。第１の連通部材は凹部と開口に接続される。駆動モジュールが第１のプッシャを駆動し、第１の方向に沿って移動させて凹部の内壁から突出したとき、第１のプッシャは、凹部内に設置された物体を押し出して第１の連通部材に入れ、開口から本体を放出することができる。
【０００５】
本考案の実施形態では、動物用インタラクティブ装置は、第２の連通部材、第２のプッシャ、および弾性部材を更に含む。その中の第２の連通部材は、第１の連通部材と開口に接続する。第２のプッシャは、第２の連通部材内に移動可能に設置されて、駆動モジュールに接続され、物体を開口より本体から押し出すように用いられる。弾性部材は、本体と第２のプッシャに接続される。
【０００６】
本考案の実施形態では、動物用インタラクティブ装置は、第１の連通部材と第２の連通部材との間に形成された第１の連通口を更に含み、且つ、第１の連通口は、第２のプッシャに遮蔽されない。
【０００７】
本考案の実施形態では、駆動モジュールは、モーター、モーターに接続されたギアアセンブリ、およびギアアセンブリに接続された外周に部分的に歯車が設けられた間欠ギアを含み、且つ第１のプッシャおよび第２のプッシャは、それぞれギアラックを含む。その中のモーターがギアアセンブリを駆動し、間欠ギアが回転したとき、間欠ギアは、第１のプッシャと第２のプッシャと間欠的に繰り返し噛み合う。
【０００８】
本考案の実施形態では、回路モジュールは、駆動モジュールの負荷を検出する検出ユニットを含む。検出ユニットが駆動モジュールが低負荷状態にあると検出したとき、回路モジュールは駆動モジュールを制御して、ギアアセンブリの駆動を停止する。
【０００９】
本考案の実施形態では、回路モジュールは、駆動モジュールの負荷を検出する検出ユニットを含む。検出ユニットが駆動モジュールが高負荷状態にあると検出したとき、駆動モジュールは、第１のプッシャを駆動し、第２の方向に移動させる。その中の第２の方向は、第１の方向と反対である。
【００１０】
本考案の実施形態では、動物用インタラクティブ装置は、凹部内に設置されて駆動モジュールに接続され、且つ本体に対して回転することができる撹拌板を更に含む。
【００１１】
本考案の実施形態では、凹部の表面は、長手方向誘導スロットが形成され、且つ駆動モジュールは、第１のプッシャを駆動し、誘導スロットに沿って移動させて凹部の内壁から突出させる。
【００１２】
本考案の実施形態では、動物用インタラクティブ装置は、シーラー（封止部材）を更に含み、且つ、凹部と第１の通路との間に第２の連通口を形成し、その中のシーラーは、駆動モジュールと枢接し、第２の連通口を封止する。
【００１３】
本考案の実施形態では、映像音声トランシーバは、カメラ、マイク、発光ダイオード、またはスピーカーを含む。
【図面の簡単な説明】
【００１４】
【図１】本考案の実施形態の動物用インタラクティブ装置を示す概略図である。
【図２】図１に示された本体とカバーを取り除いた後の動物用インタラクティブ装置を示す分解図である。
【図３】（Ａ）は図１のｘ−ｘ方向に沿った断面図であり、（Ｂ）は図１に示されたカバーを取り除いた後の動物用インタラクティブ装置を示す上面図である。
【図４】物体を凹部内に配置した概略図である。
【図５】物体を凹部から押し出す第１のプッシャを示す概略図である。
【図６】第１の位置から第２の位置に移動する第２のプッシャを示す概略図である。
【図７】第１のプッシャと第２のプッシャから係脱した間欠ギアを示す概略図である。
【図８】本考案の実施形態の第１のプッシャを示す概略図である。
【図９】本考案のもう１つの実施形態の動物用インタラクティブ装置を示す概略図である。
【図１０】本考案のもう１つの実施形態の動物用インタラクティブ装置を示す概略図である。
【図１１】本考案のもう１つの実施形態の動物用インタラクティブ装置を示す概略図である。
【考案を実施するための形態】
【００１５】
以下、本考案の実施形態の動物用インタラクティブ装置を説明する。しかしながら、本実施形態は、さまざまな特定の文脈において具現化され得る多くの適用可能な考案の概念を提供する。本明細書において論じられる特定の実施形態は、単に本考案を使用する特定の態様を例示するのみであり、本考案の範囲を限定するものではない。
【００１６】
例外が特筆されない限り、ここで使われる全ての技術的及び科学的用語は、本考案が属する技術における通常の技術において一般的に理解されているものと同じ意味を 持つ。さらに理解されることであろうが、一般に使用される辞書で定義されているような用語は、関連した技術分野の文脈におけるその意味と一致した意味を持つものとして解釈されるべきであり、本明細書で明確にそのように定義されない限り、理想化された又は過度に形式的な意味で解釈されない。
【００１７】
まず、図１に示すように、本考案の実施形態の動物用インタラクティブ装置の本体１００の上部は、凹部１１０および凹部１１０と連通した開口１２０が形成されており、且つ映像音声トランシーバ２００（例えば、角度調整できる無線ウェブカメラ）が本体１００の上部に設置されている。使用者は、前述の凹部１１０内に動物と相互コミュニケーションをする物体（例えば、ペットフードまたは玩具ボール）を投げ入れることができ、且つ投げ入れられた物体は、前述の開口１２０より本体１００から出すことができる。このため、使用者は、映像音声トランシーバ２００を介して映像音声信号を送受信して動物の状態を知ることができるだけでなく、開口１２０より前述の物体を投げ出して動物と相互コミュニケーションを図ることができる。
【００１８】
図１に示すように、本実施形態では、カバーＣは、着脱可能に前述の凹部１１０を塞ぐことができ、動物、たとえば、犬、猫などが直接凹部１１０から物体（ペットフードまたは玩具）を取り出すのを防ぐことができる。また、前述の映像音声トランシーバ２００は、無線通信機能を有し、開口１２０と同一側に向いたカメラとマイクを含む。このため、使用者は映像音声トランシーバ２００を介して動物の活動状態を容易に見ることができる。いくつかの実施形態では、映像音声トランシーバ２００は、発光ダイオード（ＬＥＤ）およびスピーカーを含み、動物をＬＥＤのライトまたはスピーカーからの使用者の声に引きつけられることができるようにし、使用者と動物との間の相互コミュニケーションを向上させることができる。
【００１９】
図２に示すように、回路モジュール３００、駆動モジュール４００、第１の連通部材５００、第２の連通部材６００、第１のプッシャ７００、第２のプッシャ８００、撹拌板９００、および弾性部材Ｓが動物用インタラクティブ装置の本体１００に配置される。その中の回路モジュール３００は、各導線Ｗを介して駆動モジュール４００と映像音声トランシーバ２００に電気的接続される。本実施形態では、前述の駆動モジュール４００は、モーター４１０、ギアアセンブリ４２０、および間欠ギア４３０を含む。その中のギアアセンブリ４２０は、複数のギアＧおよび複数の駆動軸Ｄを含み、モーター４１０、間欠ギア４３０、および撹拌板９００に接続される。たとえば、本実施形態において、ギアアセンブリ４２０は、第１ギアＧ１、第２ギアＧ２、第３ギアＧ３、第４ギアG４、第１ドライビングシャフトＤ１、第２ドライビングシャフトＤ２を有する。第１ギアＧ１はモーター４１０に接続され、第２ギアＧ２と係合している。第２ギアＧ２は第３ギアＧ３と係合し、第３ギアは第４ギアと係合している。第１ドライビングシャフトＤ１および第２ドライビングシャフトＤ２はそれぞれ第２ギアＧ２および第４ギアＧ４に固定されている。間欠ギア４３０と撹拌板９００はそれぞれ第１ドライビングシャフトＤ１と第２ドライビングシャフトＤ２に固定されている。したがって、モーター４１０は、第１ギアＧ１、第２ギアＧ２、第１ドライビングシャフトＤ１を介して間欠ギア４３０が回転するように駆動することができ、第１ギアＧ１、第２ギアＧ２、第３ギアＧ３、第４ギアＧ４、第２ドライビングシャフトＤ２を介して撹拌板９００が回転するように駆動することができる。注意するのは、前述のギアアセンブリ４２０の中のギアＧ、駆動軸Ｄ、および間欠ギア４３０の数と設置方式は、設計の必要に応じて調整することができ、図２に示された数と設計方式に限定されるものではない。
【００２０】
図３（Ａ）に示されるように、前述の第１のプッシャ７００と第２のプッシャ８００は、それぞれギアラックを含み、且つ間欠ギア４３０は、第１のプッシャ７００および第２のプッシャ８００の両者の間で反時計回りの向きに沿って回転することができる。このため、間欠ギア４３０は、第１のプッシャ７００と第２のプッシャ８００と間欠的に繰り返し噛み合い、第１のプッシャ７００と第２のプッシャ８００を移動させる。
【００２１】
続いて図３（Ａ）に示すように、第１の連通部材５００の両端は、凹部１１０を形成する部材１１０ａと第２の連通部材６００にそれぞれ接続され、第２の連通部材６００は、本体１００の開口１２０に接続される。図３（Ａ）、図３（Ｂ）に示されるように、前述の第１のプッシャ７００は、凹部１１０内に設置され、凹部１１０の内表面上の長手方向誘導スロット１１１に沿って移動させることができ、第２のプッシャ８００は、第２の連通部材６００に移動可能に設置される。また、前述の弾性部材Ｓ（例えば、ばね）の両端は、第２のプッシャ８００と本体１００の内壁にそれぞれ当接し、撹拌板９００は、凹部１１０の底部側に設置され、本体１００に対して回転可能である。
【００２２】
以下、前述の動物用インタラクティブ装置の作動原理を説明する。図２および図４に示すように、使用者は予め複数の物体Ｉを本体１００の凹部１１０の中に入れておくことができる。次いで、図２に示されるように、使用者は、外部の電子装置を用いて、回路モジュール３００を遠隔制御することができる。回路モジュール３００は、導線Ｗを介して信号をモーター４１０に伝送し、ギアアセンブリ４２０を駆動して回転させる。ギアアセンブリ４２０は、間欠ギア４３０を動かし、撹拌板９００を回転させる。図５に示されるように、間欠ギア４３０が反時計回りの方向に沿って回転するとき、第１のプッシャ７００を動かし、誘導スロット１１１に沿って第１の方向Ａ１に移動させて、凹部１１０の内壁から突出させることができる。その中の１つの物体Ｉは、凹部１１０から押し出されて第１の連通部材５００の中に入り、次いで、第１の連通部材５００を通過して第２の連通部材６００の中に落下する。
【００２３】
次いで、図６に示されるように、間欠ギア４３０が反時計回りの方向に沿って回転を続け、間欠ギア４３０の歯が第２のプッシャ８００と係合した後、間欠ギア４３０は、第２のプッシャ８００を動かし、第１の位置から右下方向に沿って第２の位置に移動させて、弾性部材Ｓを圧縮することができる。このとき、第２の連通部材６００内の物体Ｉも斜面６１０に沿って右下方向に摺動する。また、第１のプッシャ７００は、間欠ギア４３０の歯車から係脱するため、第１のプッシャ７００は、誘導スロット１１１に沿って図６に示された位置に摺動する。
【００２４】
第１のプッシャ７００が誘導スロット１１１に沿って滑り落ちた時、撹拌板９００は、ギアアセンブリ４２０によって動かされ、本体１００に対して回転するため、凹部１１０内の物体Ｉを撹拌する。前述の物体Ｉは、第１のプッシャ７００の上方に移動され、物体Ｉの干渉で第１のプッシャ７００が移動できなくなるのを防ぐ。
【００２５】
図７に示されるように、間欠ギア４３０が回転を続け、第２のプッシャ８００から離れたとき、弾性部材Ｓは、弾力を提供して第２のプッシャ８００を第２の位置から第１の位置に押し、これにより物体Ｉは、開口１２０を通って本体１００から放出することができる。
【００２６】
留意すべきことは、前述の回路モジュール３００には、モーター４１０の負荷を検出する検出ユニット（図示されていない）が含まれていることである。この検出ユニットがモーター４１０が低負荷状態にあると検出したとき、回路モジュール３００は、信号をモーター４１０に送信し、モーターの動作を停止する。即ち、図７に示されるように、間欠ギア４３０が反時計回りの方向に沿って、第１のプッシャ７００と第２のプッシャ８００から係脱する位置に回転したとき、モーター４１０は、低負荷をとなるため、この時、回路モジュール３００は、検出ユニットの検出値に基づいて信号をモーターに伝送し、モーター４１０の動作を停止してギアアセンブリ４２０の駆動を停止する。
【００２７】
また、前述の第１のプッシャ７００を第１の方向Ａ１に向けて物体Ｉを押す過程では、第１のプッシャ７００と凹部１１０内の物体Ｉは、干渉を生じ、第１のプッシャ７００を移動できなくさせる。この時、モーター４１０は、第１のプッシャ７００を移動するように続けて動かすことができず、高負荷が生じる。従って、回路モジュール３００の検出ユニットがモーター４１０が高負荷を生じていると検出したとき、回路モジュール３００は、信号をモーター４１０に伝送し、第１のプッシャ７００を第２の方向（第１の方向Ａ１の反対）に向けて動かし、図４に示された位置に移動させ、次いで、第１の方向Ａ１に沿って再度移動させる。第１のプッシャ７００が第１の方向Ａ１および第２の方向に沿って数回繰り返し移動された後、まだ干渉状態がある場合、回路モジュール３００は、信号をモーターに伝送し、モーター４１０の動作を停止する。
【００２８】
物体Ｉを移動する過程では、使用者は、映像音声トランシーバ２００を介して動物と持続的に交互コミュニケーションをとることができる。例えば、スピーカーから音を出して動物の注意を引く、またはカメラを介して動物が投げ出された物体Ｉを追いかけるのを見ることができる。
【００２９】
留意すべきことは、本実施形態の誘導スロット１１１と第１の連通部材５００の内壁との間は、約２０〜８０度の角度（例えば３０度）を有し、且つ、第２のプッシャ８００が第１の位置と第２の位置との間を移動するとき、第１の連通部材５００と第２の連通部材６００との間の第１の連通口Ｐ１を遮蔽しない（図７、図８）。そのため、物体Ｉが第１の連通部材５００から落ちた時、第２のプッシャ８００と干渉が生じるのを防ぐことができる。
【００３０】
図３（Ｂ）と図８に示すように、前述の第１のプッシャ７００が毎回凹部１１０から押し出される物体Ｉの数は、第１のプッシャ７００の上面７１０の面積と誘導スロット１１１の幅（長さ）によって予め決められる。第１のプッシャ７００の上面７１０と側面７２０との間は、リード角７３０が形成されているため、第１の方向Ａ１に物体Ｉを押し動かしたとき、余った物体Ｉを落とし易く、開口１２０から押し出す物体Ｉの数をより正確にすることができる。
【００３１】
図９に示すように、本考案のもう１つの実施形態では、第１の連通部材５００は、本体１００の開口１２０に直接接続されるため、凹部から押し出された物体Ｉは、直接第１の通路５００を経由して本体１００に自動的に滑り出される。
【００３２】
図１０に示されるように、本考案のもう１つの実施形態では、動物用インタラクティブ装置は、駆動軸Ｄと枢接したシーラー（ｓｅａｌｅｒ  封止部材）Ｋを更に含み、凹部１１０と第１の通路５００との間の第２の連通口Ｐ２を封止し、虫が凹部１１０に侵入するのを防ぐ。
図１１に示されるように、第１のプッシャ７００が物体Ｉを押し出したとき、シーラーＫは、駆動モジュール４００の駆動を受けて、第２の連通口Ｐ２に対して回転し、これにより物体Ｉが凹部１１０から離れ、第１の通路５００に落下することができる。
【００３３】
また、いくつかの実施形態では、前述の第２のプッシャ８００と弾性部材Ｓは、弾性シート（図示されていない）に置き換えられることができる。駆動モジュール４００は、変形力を直接提供して弾性シートを変形させ、且つ、前述の変形力が解除されて、弾性シートが初期の形状に戻ったとき、物体Ｉは、開口１２０から本体１００から投げ出することができる。
【００３４】
従って、本考案は、映像音声トランシーバまたは物体を投げ出すなどの方式により、動物と相互コミュニケーションを取ることができる動物用インタラクティブ装置を提供する。また、第１のプッシャが第１の方法に沿って物体を押し動かすため、正確に一定数の物体を押し出すことができる。
【００３５】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、及びステップの特定の実施形態に限定されることを意図するものではない。当業者が本開示の開示から容易に諒解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の実用新案登録請求の範囲は、上述のプロセス、機械、製造、物質の組成、手段、方法、またはステップを含むように意図される。また、添付の実用新案登録請求の範囲は、全てのそのような変更および同様の配置を包含するように、最も広義な解釈が与えられるべきである。
【００３６】
本考案は、実施例の方法および望ましい実施の形態によって記述されているが、本考案は開示された実施形態に切り定されるものではない。逆に、当業者には自明の種々の変更及び類似の構成をカバーするものである。よって、添付の請求の範囲は、最も広義な解釈が与えられ、全てのこのような変更及び類似の構成を含むべきである。
【符号の説明】
【００３７】
１００  本体
１１０  凹部
１１１  誘導スロット
１２０  開口
２００  映像音声トランシーバ
３００  回路モジュール
４００  駆動モジュール
４１０  モーター
４２０  ギアアセンブリ
４３０  間欠ギア
５００  第１の連通部材
６００  第２の連通部材
６１０  斜面
７００  第１のプッシャ
７１０  上面
７２０  側面
７３０  リード角
８００  第２のプッシャ
９００  撹拌板
Ｃ  カバー
Ｄ  駆動軸
Ｇ  ギア
Ｋ  シーラー（封止部材）
Ｐ１  第１の連通口
Ｐ２  第２の連通口
Ｓ  弾性部材
Ｗ  導線
【図１】
0003205074.tif 000003
【図２】
0003205074.tif 000004
【図３】
0003205074.tif 000005
【図４】
0003205074.tif 000006
【図５】
0003205074.tif 000007
【図６】
0003205074.tif 000008
【図７】
0003205074.tif 000009
【図８】
0003205074.tif 000010
【図９】
0003205074.tif 000011
【図１０】
0003205074.tif 000012
【図１１】
0003205074.tif 000013
【手続補正書】
【提出日】平成28年4月28日(2016.4.28)
【手続補正１】
【補正対象書類名】実用新案登録請求の範囲
【補正対象項目名】全文
【補正方法】変更
【補正の内容】
【実用新案登録請求の範囲】
【請求項１】
凹部と開口を含む本体、
前記本体に設置された制御機能を有する回路モジュール、
前記本体に設置され、前記回路モジュールと電気的接続された映像音声トランシーバ、
前記本体に設置され、前記回路モジュールと電気的接続された駆動モジュール、
前記凹部内に移動可能に設置され、前記駆動モジュールに接続された第１のプッシャ、および
前記凹部と前記開口に接続された第１の連通部材を含む動物用インタラクティブ装置であって、
前記駆動モジュールが前記第１のプッシャを駆動し、前記第１のプッシャを第１の方向に沿って移動させて前記第１プッシャが前記凹部の内壁から突出したとき、前記第１のプッシャは、前記凹部内に収容された物体を押し出して前記第１の連通部材に入れ、前記開口より前記本体を放出する
動物用インタラクティブ装置。
【請求項２】
前記動物用インタラクティブ装置は、
前記第１の連通部材と前記開口に接続する第２の連通部材、
前記第２の連通部材内に移動可能に設置されて、前記駆動モジュールに接続され、前記物体を前記開口より前記本体から押し出すように用いられる第２のプッシャ、および
前記本体と前記第２のプッシャに接続される弾性部材を更に含む
請求項１に記載の動物用インタラクティブ装置。
【請求項３】
前記動物用インタラクティブ装置は、前記第１の連通部材と前記第２の連通部材との間に形成された第１の連通口を更に含み、且つ、前記第１の連通口は、前記第２のプッシャに遮蔽されない
請求項２に記載の動物用インタラクティブ装置。
【請求項４】
前記駆動モジュールは、
モーター、
前記モーターに接続されたギアアセンブリ、および
ギアアセンブリに接続された、外周に沿って歯車が部分的に設けられた間欠ギアを含み、
前記第１のプッシャおよび前記第２のプッシャは、それぞれギアラックを含み、
前記モーターが前記ギアアセンブリを駆動し、前記間欠ギアが回転したとき、前記間欠ギアの歯車は、前記第１のプッシャと前記第２のプッシャと間欠的に繰り返し噛み合う
請求項２に記載の動物用インタラクティブ装置。
【請求項５】
前記回路モジュールは、前記駆動モジュールの負荷を検出する検出ユニットを含み、
前記検出ユニットが前記駆動モジュールが低負荷状態にあると検出したとき、前記回路モジュールは、前記駆動モジュールを介して、前記ギアアセンブリの駆動を停止する
請求項４に記載の動物用インタラクティブ装置。
【請求項６】
前記回路モジュールは、前記駆動モジュールの負荷を検出する検出ユニットを含み、前記検出ユニットが前記駆動モジュールが高負荷状態にあると検出したとき、前記回路モジュールは前記駆動モジュールを介して、前記第１のプッシャを駆動し、第１の方向と反対の方向の第２の方向に移動させる、
請求項１に記載の動物用インタラクティブ装置。
【請求項７】
前記動物用インタラクティブ装置は、前記凹部内に設置されて前記駆動モジュールに接続され、且つ前記本体に対して回転することができる撹拌板を更に含む
請求項１に記載の動物用インタラクティブ装置。
【請求項８】
前記凹部の表面には、長手方向誘導スロットが配設され、且つ前記駆動モジュールは、前記回路モジュールは前記第１のプッシャを介して、前記誘導スロットに沿って移動させて前記凹部の内壁から突出させる
請求項１に記載の動物用インタラクティブ装置。
【請求項９】
前記動物用インタラクティブ装置は、シーラー（封止部材）を更に含み、且つ、前記凹部と前記第１の連通部材との間に第２の連通口を形成し、前記シーラーは、前記駆動モジュールと枢接し、前記第２の連通口を封止する
請求項１に記載の動物用インタラクティブ装置。
【請求項１０】
前記映像音声トランシーバは、カメラ、マイク、発光ダイオード、またはスピーカーを含む
請求項１に記載の動物用インタラクティブ装置。